(57)【要約】      （修正有）【課題】スープの表面に浮いた油や灰汁などをすくわず、その下層のスープのみを選択的にすくえる匙を提供する。【解決手段】把持するための長尺状の柄部１０と、前記柄部の一端に設けられた凹状の匙部１２と、前記匙部の底面から前記匙部の凹状の内側へと貫通した貫通穴１４と、前記匙部の凹状部分に形成された液体を貯留するための貯留部１６と、を備え、前記凹状部分に立設された壁１８により前記貫通穴と前記貯留部とが区分されており、前記貫通穴が、前記凹状部分の前記柄部が接続されている側の端部に形成されており、前記凹状部分の上端の属する面と、前記柄部との成す角度が４５°以上９０°以下の範囲である匙１。【選択図】図１
2016016036.tif 000002
【特許請求の範囲】
【請求項１】
把持するための長尺状の柄部と、
前記柄部の一端に設けられた凹状の匙部と、
前記匙部の底面から前記匙部の凹状の内側へと貫通した貫通穴と、
前記匙部の凹状部分に形成された液体を貯留するための貯留部と、
を備え、
前記凹状部分に立設された壁により前記貫通穴と前記貯留部とが区分されている匙。
【請求項２】
前記貫通穴が、前記凹状部分の前記柄部が接続されている側の端部に形成されている請求項１に記載の匙。
【請求項３】
前記凹状部分の上端の属する面と、前記柄部との成す角度が４５°以上９０°以下の範囲である請求項１または２に記載の匙。
【請求項４】
前記匙部の底面は平坦部分を備え、前記平坦部分に前記貫通穴が形成されている請求項１に記載の匙。
【請求項５】
把持するための長尺状の柄部と、
前記柄部の一端に設けられた凹状の匙部と、
前記匙部の底面から前記匙部の凹状の内側へと貫通した貫通穴と、
前記匙部の凹状部分に形成された液体を貯留するための貯留部と、
を備え、
前記凹状部分に立設された壁により前記貫通穴と前記貯留部とが区分されているお玉。
【請求項６】
前記貫通穴が、前記凹状部分の前記柄部が接続されている側とは反対側の端部に形成されている請求項５に記載のお玉。
【請求項７】
前記凹状部分の上端の属する面と、前記柄部との成す角度が４５°以上９０°以下の範囲である請求項５または６に記載のお玉。
【請求項８】
前記匙部の底面は平坦部分を備え、前記平坦部分に前記貫通穴が形成されている請求項５に記載の匙。
【発明の詳細な説明】
【技術分野】
【０００１】
本発明は、匙およびお玉に関し、特に表面に油の浮いたスープのうち、油の下のスープのみを選択的に抽出可能な匙およびお玉に関する。
【背景技術】
【０００２】
従来、スープなどの液体をすくうために、匙やお玉などが昔から良く使用されている。これらの匙やお玉は、昔からいろいろ工夫されてきた。例えば、特許文献１には、陶器又はプラスチック等のレンゲに、複数の穴をあけ、汁が速やかに抜けて、具をすくい易くしたレンゲが開示されている。これにより、従来のレンゲの課題であった、箸で掴めないような、又つかみ難い具、コーン、薬味等が汁と共に流れ落ちてしまうという問題を解決できるとしている。
【０００３】
また、特許文献２には、外底面を凸円弧状の湾曲面に形成しているお玉部と該お玉部の後部外周縁から後方に向かって斜め上方に突設した柄部とからなるお玉において、お玉を起立させた状態における全体の重心がお玉部側となるようにお玉部と柄部とをそれぞれ所定の重量割合に形成していると共に、柄部を下方に傾動させてお玉部の重心に作用するモーメントと柄部の重心に作用するモーメントとがバランスした際のお玉の支点がお玉部の外底面の後部側にあり、この支点を分岐点として柄部をそれ以上傾動させて該支点を後方に連続的に移動させると共にお玉の重心をこの支点から後方に移動させることにより、釣り合いが解消されてお玉が横倒し状態となるように構成していると共に、上記分岐点部分の外底面部を該分岐点部分から前側の外底面部よりも曲率半径の小さい急カーブな曲面に形成し、この曲面の後端から柄部の下端に向かって急勾配の傾斜面に形成していることを特徴とするお玉が開示されている。
これにより、使用時には、お玉部を載置面に置くことによって載置面上に受止させたお玉部の外底面のみを支点としてお玉全体を自然と起立させておくことができるとしている。
【先行技術文献】
【特許文献】
【０００４】
【特許文献１】特開２００４−８９６４７号公報
【特許文献２】特許第４５８５３４９号公報
【発明の概要】
【発明が解決しようとする課題】
【０００５】
しかしながら、上述したような従来の匙やお玉は、スープの表面に浮いた油や灰汁などをすくうこと無く、下層のスープのみを選択的にすくい取ることができなかった。よって、油が浮いたラーメンのスープを飲む場合、表面の油を避けて下層のスープのみを飲むことは困難であった。
【０００６】
その一方、近年では、健康志向の高まりから、油をあまり摂取しないことが求められている。よって、ラーメンなどの油の多いスープにおいて、油の下のスープをのみを選択的にすくい取ることができる匙の発明は、人々の健康増進に大きく寄与することが期待できるものである。
【０００７】
お玉も同様であり、家庭で油がどうしても表面に浮いてしまう料理を作ったとき、油層の下のスープのみをお皿にすくうことができれば、家族の健康増進に大きく寄与することが期待される。
【０００８】
本発明は、このような事情に鑑みてなされたものであり、スープの表面に浮いた油や灰汁などをすくわず、その下層のスープのみを選択的にすくうことができる匙とお玉とを提供することを目的とする。
【課題を解決するための手段】
【０００９】
上記課題は、下記の各発明により解決することができる。即ち、本発明の匙は、把持するための長尺状の柄部と、前記柄部の一端に設けられた凹状の匙部と、前記匙部の底面から前記匙部の凹状の内側へと貫通した貫通穴と、前記匙部の凹状部分に形成された液体を貯留するための貯留部と、を備え、前記凹状部分に立設された壁により前記貫通穴と前記貯留部とが区分されていることを主要な特徴としている。
これにより、スープ表面の油をすくうこと無く、下層のスープのみをすくうことができる。
【００１０】
また、本発明の匙は、前記貫通穴が、前記凹状部分の前記柄部が接続されている側の端部に形成されていることを主要な特徴としている。
これにより、すくい取った具のみを匙の中に残して、スープを貫通穴から排出することを容易に行うことができる。
【００１１】
また、本発明の匙は、前記凹状部分の上端の属する面と、前記柄部との成す角度が４５°以上９０°以下の範囲であることを主要な特徴としている。
これにより、匙をスープ中に沈めていったとき、柄部が容器の上端や内側面に接触することを避けることができる。
【００１２】
更に、本発明の匙は、前記匙部の底面は平坦部分を備え、前記平坦部分に前記貫通穴が形成されていることを主要な特徴としている。
これにより、安定して匙をテーブル等に置くことができる。
【００１３】
更にまた、本発明のお玉は、把持するための長尺状の柄部と、前記柄部の一端に設けられた凹状の匙部と、前記匙部の底面から前記匙部の凹状の内側へと貫通した貫通穴と、前記匙部の凹状部分に形成された液体を貯留するための貯留部と、を備え、前記凹状部分に立設された壁により前記貫通穴と前記貯留部とが区分されていることを主要な特徴としている。
これにより、スープ表面の油をすくうこと無く、下層のスープのみをすくうことができる。
【００１４】
また、本発明のお玉は、前記貫通穴が、前記凹状部分の前記柄部が接続されている側とは反対側の端部に形成されていることを主要な特徴としている。
これにより、すくい取った具のみをお玉の中に残して、スープを貫通穴から排出することを容易に行うことができる。
【００１５】
更に、本発明のお玉は、前記凹状部分の上端の属する面と、前記柄部との成す角度が４５°以上９０°以下の範囲であることを主要な特徴としている。
これにより、お玉をスープ中に沈めていったとき、柄部が容器の上端や内側面に接触することを避けることができる。
【００１６】
更にまた、本発明のお玉は、前記匙部の底面は平坦部分を備え、前記平坦部分に前記貫通穴が形成されていることを主要な特徴としている。
これにより、安定してお玉をテーブル等に置くことができる。
【発明の効果】
【００１７】
本発明の匙およびお玉は、スープの表面に浮いた油や灰汁などをすくわず、その下層のスープのみを選択的にすくうことができる。
【図面の簡単な説明】
【００１８】
【図１】本発明の匙の第１実施形態の斜視図である。
【図２】匙をスープに浸した状態での匙の長手方向に平行な断面図である。
【図３】匙でスープに入っている具をすくい、スープのみを貫通穴から排出している状態を示す断面図である。
【図４】本発明の匙の第２実施形態の斜視図である。
【図５】匙をスープに浸した状態での匙の長手方向に平行な断面図である。
【図６】本発明のお玉の第１実施形態の斜視図である。
【図７】お玉をスープに浸した状態でのお玉の長手方向に平行な断面図である。
【図８】お玉でスープに入っている具をすくい、スープのみを貫通穴から排出している状態を示す断面図である。
【図９】本発明のお玉の第２実施形態の斜視図である。
【図１０】お玉をスープに浸した状態での第２実施形態のお玉の長手方向に平行な断面図である。
【発明を実施するための形態】
【００１９】
以下添付図面に従って、本発明の匙およびお玉の好ましい実施の形態について説明する。本発明において数値の範囲を「  〜  」を用いて示すときは、上限と下限とは範囲内に含まれるものとする。
【００２０】
［匙の第１実施形態］
本発明の匙の実施形態として、一例としてレンゲの形態で説明するが、本発明はレンゲの形態に限定されるものでは無く、スプーンなどのような匙の形態であっても良い。
【００２１】
図１を参照して説明する。図１は、本発明の匙の第１実施形態の斜視図である。本発明の匙１は、使用者が手や指で把持するための長尺状の柄部１０と、柄部１０の一端に設けられた凹状の匙部１２と、匙部１２の底面から匙部１２の凹状部分の内側へと貫通した貫通穴１４と、匙部１２の凹状部分に形成された液体等を貯留するための貯留部１６と、匙部１２の凹状部分に形成された壁１８とを主に備えて構成される。壁１８は、貫通穴１４と、貯留部１６とを仕切って区分するように形成されている。
【００２２】
貫通穴１４は、その個数は１つでも複数でも良く、匙部１２の凹状部分の柄部１０が接続されている側の底部に形成されることが好ましい。貫通穴１４が、柄部１０が接続されている側以外にある場合は、匙１を使用してスープを飲むときに、スープが貫通穴１４から流れ出るおそれがあるからである。
柄部１０と匙部１２とは、プラスチック、シリコン素材、金属、木、陶器、セラミック等の通常匙を作製するために使用される材料を用いて製造することができる。
【００２３】
次に本発明に係る匙１の作動について図２を参照して更に詳しく説明する。図２は、匙１をスープに浸した状態での匙１の長手方向に平行な断面図である。図２において、容器２１には、スープ２０と油２２とが入れられている。容器２１内において、油２２は、スープ２０の表面に浮いて層を形成している。
【００２４】
匙１は、貫通穴１４の下端が油２２の層より下のスープ２０の層の位置に来るようにスープ２０内に浸して使用される。これにより、貫通穴１４から油２２が流入すること無く、スープ２０のみが流入する。油２２の層の表面よりも壁１８の上端が低くなるまで匙１をスープ２０に沈める（匙部１２の凹状部分の上端Ｔは油２２の層より上になるようにする）ことにより、貫通穴１４から流入したスープ層のスープ２０は、壁１８の右側からあふれて壁１８を超えて貯留部１６に貯留される。
【００２５】
ここで、壁１８の高さは、匙部１２の凹状部分の上端Ｔよりも低くなるように構成される。壁１８の高さが匙部１２の凹状部分の上端Ｔと同じ、または高いと、スープ２０は、貯留部１６に入る際に外にあふれ出てしまうからである。
【００２６】
このように、本発明の匙１は、油２２が浮いたスープ２０において、油２２を除いたスープ２０のみを選択的に貯留部１６に貯留することができるので、使用者は、油２２を飲むこと無く、スープ２０のみを選択的に飲むことができる。
【００２７】
また、本発明の第１実施形態の場合、匙１をスープ２０に沈める深さが足りず、貫通穴１４から油２２が流入して来た場合は、流入して来た油２２が壁１８を超えて貯留部１６に入る前に匙１を持ち上げることより、流入した油２２を貫通穴１４から外部へ流出させることができる。
【００２８】
ここで、本発明者の鋭意研究によると、様々なスープの表面の油層の厚みは、通常数ｍｍ以下であり、油を多く使うラーメンなどで約５ｍｍ、極端に油が多いラーメンで１０ｍｍに満たないくらいであった。よって、匙部１２をスープ２０に沈める深さが足りなかったとしても、壁１８の高さが最低でも、６ｍｍ〜２０ｍｍであれば、油２２が、壁１８を超えて貯留部１６に入ることはほとんど無く、壁１８の高さが、１０ｍｍ〜２０ｍｍであれば極端に油の多いスープであっても、油２２が壁１８を超えて貯留部１６に入ることは無い。
【００２９】
この場合、匙部１２の内側の底面から上端Ｔまでの高さ（匙部内面高さと称する）は、常に壁１８の高さより高く、かつ、１２ｍｍ〜３０ｍｍが好ましい。１２ｍｍより小さいと貯留部１６に貯留されるスープ２０の量が少なくなり、３０ｍｍを超えると飲みにくくなるからである。貯留部１６に貯留されるスープ２０の量が少なくても良い場合は、匙部内面高さは、７ｍｍ〜３０ｍｍであっても良いが、壁１８は、常に匙部内面高さよりも低くなければならない。即ち、壁１８の上端は、匙部１２の上端Ｔよりも低くなければならないのは、上記説明より明らかである。
【００３０】
また、匙部１２の凹状部分の上端Ｔの属する面と、柄部１０との成す角度θは、４５°〜９０°が好ましく、６０°〜７５°がより好ましい。ここで、角度θは、匙部１２に液体を満たしたとき、液面と柄部１０との成す角度としても良い。これは、θが４５°よりも小さいと、匙１をスープ２０に浸すとき、柄部１０が容器２１の内側の側面、または、容器２１の上端Ｅに接触する可能性が大きくなるからである。柄部１０の角度θが何度以下の場合に柄部１０が容器２１の内側の側面、または容器２１の上端Ｅに接触するかは、容器２１の直径、スープ２０の液面から容器２１の上端Ｅまでの高さ、容器２１の内側の側面が鉛直方向に対して成す角度によって異なる。
【００３１】
しかしながら、本発明者の鋭意研究により、角度θが４５°以上であれば、大抵の使用事例において、柄部１０が容器２１の内側の側面、または容器２１の上端Ｅに接触することは無く、角度θが６０°以上であれば、ほとんどの使用事例において、柄部１０が容器２１の内側の側面、または容器２１の上端Ｅに接触することは無いことを見いだした。
【００３２】
また、柄部１０の角度θは、９０°以下であることが好ましい。これより大きい角度の場合は、匙１の使用が著しく困難になるからである。また、柄部１０の角度θは、７５°以下であることがより好ましい。７５°以下であれば、匙１の使用が容易だからである。
【００３３】
図２に示すように、匙部１２の凹部内側では無く、外側の底面Ｂ（本発明において単に底面と称するときは、凹部の内側では無く外側の底面Ｂを意味することとする）は、平坦になっている。このように、底面に平坦部分を有することにより、匙１を平坦面に安定して置くことができる。しかしながら、底面形状は、平坦部分を有することに限定されるものでは無く、曲面であっても良い。
【００３４】
次に図３を参照して説明する。図３は、匙１でスープ２０に入っている具３０をすくい、スープ２０のみを貫通穴１４から排出している状態を示す断面図である。図３に示すように、スープ２０中の具３０を匙１ですくい、貫通穴１４の方向に匙部１２を傾けることにより、具３０は、壁１８で移動を妨げられ、スープ２０のみが壁１８を乗り越えて貫通穴１４から下に排出される。このように壁１８を備えることにより、貯留部１６に具３０のみを残すことができ、特に、貫通穴１４より小さい具も残すことができる。
【００３５】
［匙の第２実施形態］
次に本発明の匙の第２実施形態について図面を参照して説明する。本発明の匙の第２実施形態は、第１実施形態とほとんど同じ構成、作動、効果を有するものである。よって、本発明の匙の第２実施形態の説明においては、第１実施形態と異なる構成、作動、効果について説明し、第１実施形態と同じ構成、作動、効果については、説明を省略する。図４は、本発明の匙の第２実施形態の斜視図である。
【００３６】
本発明の第２実施形態の匙２が、第１実施形態と異なるところは、壁１８が貫通穴１４の周りを囲んでいることである。図４においては、貫通穴１４が柄部１０の近傍に形成されているため、貫通穴１４を囲む壁１８のうち柄部１０側の壁１８は、柄部１０と一体化しているような構造となっているが、このように壁１８の一部が柄部１０と一体化しているような構造であっても良いし、壁１８が独立して貫通穴１４の周りを囲んでいても良い。
【００３７】
次に図５を参照して更に説明する。図５は、匙２をスープ２０に浸した状態での第２実施形態の匙２の長手方向に平行な断面図である。図５において、容器２１には、スープ２０と油２２とが入れられている。容器２１内において、油２２は、スープ２０の表面に浮いて層を形成している。
【００３８】
第１実施形態と同様に、第２実施形態の匙２も、貫通穴１４の下端が油２２の層より下のスープ２０の層の位置に来るようにスープ２０内に浸して使用される。第２実施形態の匙２は、第１実施形態の匙１と同様の作動を行い、同様の効果を奏するが以下の点が少し異なる。
【００３９】
第２実施形態の匙２は、貫通穴１４の周りが壁１８で囲まれているので、油２２の層の厚みよりも壁１８の高さ（即ち、ほぼ貫通穴１４の深さ）が高い場合には、以下の効果を奏する。即ち、匙２を液中に沈める深さが足らず、貫通穴１４の下端の位置が油２２の層内にあるとき、油２２は、貫通穴１４の上端に達することができないため、匙部１２内に流入することは無い。
【００４０】
よって、第１実施形態と同様に、壁１８の高さが、６ｍｍ〜２０ｍｍであれば、油２２は、壁１８を乗り越えて貯留部１６に流入することはほとんど無く、壁１８の高さが、１０ｍｍ〜２０ｍｍであれば極端に油の多いスープ２０であっても、油２２が壁１８を乗り越えて貯留部１６に入ることは無い。つまり、貫通穴１４から入った液体が壁１８を乗り越えて貯留部１６に流入してくるまで匙２をスープ２０中に沈めれば、貫通穴１４から流入する液体は、油２２ではなくスープ２０ということになる。
【００４１】
また、壁１８の上端や、壁１８の上端と柄部１０とが一体化している略平坦部分Ｐは、貫通穴１４に向かってすり鉢状に下った形状であることが好ましい。これにより、匙２でスープ２０に入っている具３０をすくって、スープ２０のみを貫通穴１４から排出するとき、排出が容易になる。
【００４２】
［お玉の第１実施形態］
次に本発明に係るお玉の第１実施形態について図面を参照して説明する。図６を参照して説明する。図６は、本発明に係るお玉の第１実施形態の斜視図である。お玉の第１実施形態は、匙の第１実施形態をお玉に適用したものである。
【００４３】
図６を参照して説明する。図６は、本発明のお玉の第１実施形態の斜視図である。本発明のお玉３は、長尺状の柄部１０と、柄部１０の一方の先端部に形成された使用者が手や指で把持するためのグリップ部１０Ａと、柄部１０の他方の一端に設けられた凹状の匙部１２と、匙部１２の底面から匙部１２の凹状部分の内側へと貫通した貫通穴１４と、匙部１２の凹状部分に形成された液体等を貯留するための貯留部１６と、匙部１２の凹状部分に形成された壁１８とを主に備えて構成される。壁１８は、貫通穴１４と、貯留部１６とを仕切って区分するように形成されている。
【００４４】
貫通穴１４は、その個数は１つでも複数でも良く、匙部１２の凹状部分の柄部１０が接続されている側とは反対側の端部（反対端部と称する）に形成されることが好ましい。貫通穴１４が、反対端部にあることにより、具３０とスープ２０とを一緒にすくって、スープ２０のみを貫通穴１４から排出するときに傾けやすく排出しやすい。
柄部１０と匙部１２とは、プラスチック、シリコン素材、金属、木、陶器、セラミック等の通常お玉を作製するために使用される材料を用いて製造することができる。また、グリップ部１０Ａは、手や指で把持したときに滑りにくい材料で作製することが好ましい。そのような材料としては、ゴム等があるが、プラスチックや金属、木、陶器、セラミック等の材料であっても、突起を形成したり、手や指にフィットする窪み等を形成するなどして、形状を工夫することにより滑りにくくすることができる。しかしながら、滑りにくい材料や形状に限定されるものでは無く、手や指で把持することができるものであれば採用することができる。
【００４５】
次に本発明に係るお玉３の作動について図７を参照して更に詳しく説明する。図７は、お玉３をスープに浸した状態でのお玉３の長手方向に平行な断面図である。図７において、容器２１には、スープ２０と油２２とが入れられている。容器２１内において、油２２は、スープ２０の表面に浮いて層を形成している。
【００４６】
お玉３は、貫通穴１４の下端が油２２の層より下のスープ２０の層の位置に来るようにスープ２０内に浸して使用される。これにより、貫通穴１４から油２２が流入すること無く、スープ２０のみが流入する。ここで、スープ２０の表面に浮いているのが油２２ではなく灰汁である場合は、灰汁をすくうことなく、スープ２０のみを貯留部１６に貯留させることができる。
【００４７】
油２２の層の表面よりも壁１８の上端が低くなるまで匙部１２をスープ２０に沈める（匙部１２の凹状部分の上端Ｔは油２２の層より上になるようにする）ことにより、貫通穴１４から流入したスープ層のスープ２０は、壁１８の左側からあふれて壁１８を超えて貯留部１６に貯留される。
【００４８】
ここで、壁１８の高さは、匙部１２の凹状部分の上端Ｔよりも低くなるように構成される。壁１８の高さが匙部１２の凹状部分の上端Ｔと同じ、または高いと、スープ２０は、貯留部１６に入る際に外にあふれ出てしまうからである。
【００４９】
このように、本発明のお玉３は、油２２が浮いたスープ２０において、油２２を除いたスープ２０のみを選択的に貯留部１６に貯留することができるので、使用者は、油２２をすくうこと無く、スープ２０のみを選択的にすくうことができる。
【００５０】
また、本発明のお玉の第１実施形態の場合、お玉３をスープ２０に沈める深さが足りず、貫通穴１４から油２２が流入して来た場合は、流入して来た油２２が壁１８を超えて貯留部１６に入る前にお玉３を持ち上げることより、流入した油２２を貫通穴１４から外部へ流出させることができる。
【００５１】
ここで、上述したように、様々なスープの表面の油層の厚みは、通常数ｍｍ以下であり、油を多く使うラーメンなどで約５ｍｍ、極端に油が多いラーメンで１０ｍｍに満たないくらいである。よって、匙部１２をスープ２０に沈める深さが足りなかったとしても、壁１８の高さが最低でも、６ｍｍ〜２０ｍｍであれば、油２２が、壁１８を超えて貯留部１６に入ることはほとんど無く、壁１８の高さが、１０ｍｍ〜２０ｍｍであれば極端に油の多いスープであっても、油２２が壁１８を超えて貯留部１６に入ることは無い。
【００５２】
この場合、匙部１２の内側の底面から上端Ｔまでの高さ（匙部内面高さと称する）は、常に壁１８の高さより高く、かつ、１２ｍｍ〜６０ｍｍが好ましい。１２ｍｍより小さいと貯留部１６に貯留されるスープ２０の量が少なくなり、６０ｍｍを超えるとお玉３を扱いにくくなるからである。貯留部１６に貯留されるスープ２０の量が少なくても良い場合は、匙部内面高さは、７ｍｍ〜６０ｍｍであっても良いが、壁１８は、常に匙部内面高さよりも低くなければならない。即ち、壁１８の上端は、匙部１２の上端Ｔよりも低くなければならないのは、上記説明より明らかである。
【００５３】
また、匙部１２の凹状部分の上端Ｔの属する面と、柄部１０との成す角度θは、４５°〜９０°が好ましく、６０°〜７５°がより好ましい。ここで、角度θは、匙部１２に液体を満たしたとき、液面と柄部１０との成す角度としても良い。これは、角度θが４５°よりも小さいと、匙部１２をスープに浸すとき、柄部１０が鍋等の容器２１の内側の側面、または、容器２１の上端Ｅに接触する可能性が大きくなるからである。柄部１０の角度θが何度以下の場合に柄部１０が容器２１の内側の側面、または容器２１の上端Ｅに接触するかは、容器２１の直径、スープ２０の液面から容器２１の上端Ｅまでの高さ、容器２１の内側の側面が鉛直方向に対して成す角度によって異なる。
【００５４】
しかしながら、本発明者の鋭意研究により、角度θが４５°以上であれば、大抵の使用事例において、柄部１０が容器２１の内側の側面、または容器２１の上端Ｅに接触することは無く、角度θが６０°以上であれば、ほとんどの使用事例において、柄部１０が容器２１の内側の側面、または容器２１の上端Ｅに接触することは無いことを見いだした。
【００５５】
また、柄部１０の角度θは、９０°以下であることが好ましい。これより大きい角度の場合は、お玉３の使用が著しく困難になるからである。また、柄部１０の角度θは、７５°以下であることがより好ましい。７５°以下であれば、お玉３の使用が容易だからである。
【００５６】
図７に示すように、匙部１２の凹部内側では無く、外側の底面Ｂ（本発明において単に底面と称するときは、凹部の内側では無く外側の底面Ｂを意味することとする）は、平坦になっている。このように、底面に平坦部分を有することにより、お玉３を平坦面に安定して置くことができる。しかしながら、底面形状は、平坦部分を有することに限定されるものでは無く、曲面であっても良い。
【００５７】
次に図８を参照して説明する。図８は、お玉３でスープ２０に入っている具３０をすくい、スープ２０のみを貫通穴１４から排出している状態を示す断面図である。図８に示すように、スープ２０中の具３０をお玉３ですくい、貫通穴１４の方向に匙部１２を傾けることにより、具３０は、壁１８で移動を妨げられ、スープ２０のみが壁１８を乗り越えて貫通穴１４から下に排出される。このように壁１８を備えることにより、貯留部１６に具３０のみを残すことができ、特に、貫通穴１４より小さい具も残すことができる。
【００５８】
［お玉の第２実施形態］
次に本発明のお玉の第２実施形態について図面を参照して説明する。本発明のお玉の第２実施形態は、お玉の第１実施形態とほとんど同じ構成、作動、効果を有するものである。よって、本発明のお玉の第２実施形態の説明においては、お玉の第１実施形態と異なる構成、作動、効果について説明し、お玉の第１実施形態と同じ構成、作動、効果については、説明を省略する。図９は、本発明のお玉の第２実施形態の斜視図である。
【００５９】
本発明の第２実施形態のお玉４が、第１実施形態と異なるところは、壁１８が貫通穴１４の周りを囲んでいることである。図９においては、貫通穴１４が匙部１２の端部に形成されているため、貫通穴１４を囲む壁１８のうち匙部１２の端部側の壁１８は、匙部１２の端部と一体化しているような構造となっているが、このように壁１８の一部が匙部１２の端部と一体化しているような構造であっても良いし、壁１８が独立して貫通穴１４の周りを囲んでいても良い。
【００６０】
次に図１０を参照して更に説明する。図１０は、お玉４をスープ２０に浸した状態での第２実施形態のお玉４の長手方向に平行な断面図である。図１０において、容器２１には、スープ２０と油２２とが入れられている。容器２１内において、油２２は、スープ２０の表面に浮いて層を形成している。
【００６１】
第１実施形態と同様に、第２実施形態のお玉４も、貫通穴１４の下端が油２２の層より下のスープ２０の層の位置に来るようにスープ２０内に浸して使用される。第２実施形態のお玉４は、第１実施形態のお玉３と同様の作動を行い、同様の効果を奏するが以下の点が少し異なる。
【００６２】
第２実施形態のお玉４は、貫通穴１４の周りが壁１８で囲まれているので、油２２の層の厚みよりも壁１８の高さ（即ち、ほぼ貫通穴１４の深さ）が高い場合には、以下の効果を奏する。即ち、お玉４を液中に沈める深さが足らず、貫通穴１４の下端の位置が油２２の層内にあるとき、油２２は、貫通穴１４の上端に達することができないため、匙部１２内に流入することは無い。
【００６３】
よって、第１実施形態のお玉３と同様に、壁１８の高さが、６ｍｍ〜２０ｍｍであれば、油２２は、壁１８を超えて貯留部１６に流入することはほとんど無く、壁１８の高さが、１０ｍｍ〜２０ｍｍであれば極端に油の多いスープであっても、油２２が壁１８を超えて貯留部１６に入ることは無い。つまり、壁１８を超えて液体が流出してくるまでお玉４をスープ中に沈めれば、貫通穴１４から流出する液体は、油２２ではなくスープ２０ということになる。
【００６４】
また、壁１８の上端や、壁１８の上端と柄部１０とが一体化している略平坦部分Ｐは、貫通穴１４に向かってすり鉢状に下った形状であることが好ましい。これにより、お玉４でスープ２０に入っている具をすくって、スープ２０のみを貫通穴１４から排出するとき、排出が容易になる。
【００６５】
以上説明したように、本発明の匙、お玉は、スープの表面に油や灰汁などが浮いていてもスープのみを選択的にすくい取ることが可能となる。また、本発明の匙やお玉の構造では、少しは、スープ表面の油が貯留部１６に入るようにも見えるが、本発明者の実験では、目視上は油２２が貯留部１６に入ったようには見えなかった。よって、入ったとしても問題にならない程度の微々たる量と考えられる。
【符号の説明】
【００６６】
１…匙、２…匙、３…お玉、４…お玉、１０…柄部、１０Ａ…グリップ部、１２…匙部、１４…貫通穴、１６…貯留部、１８…壁、２０…スープ、２１…容器、２２…油、３０…具、Ｂ…底面、Ｅ…上端、Ｐ…略平坦部分、Ｔ…上端
【図１】
2016016036.tif 000003
【図２】
2016016036.tif 000004
【図３】
2016016036.tif 000005
【図４】
2016016036.tif 000006
【図５】
2016016036.tif 000007
【図６】
2016016036.tif 000008
【図７】
2016016036.tif 000009
【図８】
2016016036.tif 000010
【図９】
2016016036.tif 000011
【図１０】
2016016036.tif 000012